(57)【要約】【課題】釣りにおいて所定のリズムを取りながら繰り返し行う繰り返し動作を正確に行うことができるように釣り人を支援することができる釣り用リズム発信器を提供する。【解決手段】釣りにおいて所定のリズムで繰り返し行う繰り返し動作のリズムデータを記憶する記憶部としてのメモリ４と、該メモリ４が記憶するリズムデータに基づいたリズムで報知信号を発信する発信部としてのスピーカ３とを備えている。また、釣り条件が入力される入力部であるタッチパネル２を備え、メモリ４は、釣り条件に対して所定のリズムデータが対応付けられたリズムデータテーブルを記憶し、入力された釣り条件に対応したリズムデータをメモリ４から読み出してそれをスピーカ３に送る制御部としての中央処理装置５を備えている。【選択図】図２
2015073489.tif 000002
【特許請求の範囲】
【請求項１】
釣りにおいて所定のリズムで繰り返し行う繰り返し動作のリズムデータを記憶する記憶部と、該記憶部が記憶するリズムデータに基づいたリズムで報知信号を発信する発信部とを備えていることを特徴とする釣り用リズム発信器。
【請求項２】
発信部は、音、光、振動のうち少なくとも一つの報知信号を発信する請求項１記載の釣り用リズム発信器。
【請求項３】
釣り条件が入力される入力部を備え、
記憶部は、釣り条件に対して所定のリズムデータが対応付けられたリズムデータテーブルを記憶し、
入力された釣り条件に対応したリズムデータを記憶部から読み出してそれを発信部に送る制御部を備えている請求項１又は２記載の釣り用リズム発信器。
【請求項４】
釣り条件が入力される入力部を備え、
記憶部は、基準の釣り条件に対応した基準のリズムデータと、基準の釣り条件とは異なる釣り条件に対して基準のリズムデータを補正するための補正データとを記憶し、
入力された釣り条件が基準の釣り条件であるか否かを判別して、入力された釣り条件が基準の釣り条件である場合には、記憶部に記憶している基準のリズムデータを発信部に送り、入力された釣り条件が基準の釣り条件とは異なる釣り条件である場合には、記憶部に記憶している基準のリズムデータを補正データに基づき補正してその補正後のリズムデータを発信部に送る制御部を備えている請求項１又は２記載の釣り用リズム発信器。
【請求項５】
記憶部は、複数種類のリズムに対応した複数のリズムデータを記憶し、
複数種類のリズムから任意のリズムを選択するための入力部と、選択されたリズムに対応したリズムデータを記憶部から読み出してそれを発信部に送る制御部とを備えている請求項１又は２記載の釣り用リズム発信器。
【請求項６】
釣りにおいて第一のリズムで繰り返し行う第一の繰り返し動作の中に、第一のリズムとは異なる第二のリズムで繰り返し行う第二の繰り返し動作が混在している一連の繰り返し動作のリズムデータを記憶する記憶部と、
該記憶部が記憶するリズムデータに基づいたリズムで報知信号を発信する発信部とを備え、
該発信部は、第一のリズムについては第一の報知信号を発信し、第二のリズムについては第一の報知信号とは異なる第二の報知信号を発信することを特徴とする釣り用リズム発信器。
【発明の詳細な説明】
【技術分野】
【０００１】
本発明は、釣りにおいて釣り人が所定のリズムを取りながら行う各種の繰り返し動作をアシストするための釣り用リズム発信器に関する。
【背景技術】
【０００２】
釣りでは所定のリズムを取りながら行わなければならない繰り返し動作が種々存在している。例えば、フライフィッシングにおいては、フライを狙ったポイントにキャストするにあたり、所定のリズムでロッドを前後に繰り返し振るという動作を行う。この動作を正確に行うことによりフライを狙ったポイントに正確にキャストすることが可能になるが、その動作を正確に行うためにはその動作のリズムが重要になる。ベテランの釣り人はそのリズムを既に習得しているため、釣り場において正確なリズムでロッドを振ってフライをポイントに正確に届けることができるが、ビギナーの釣り人はリズムを習得していないため、ロッドを繰り返し振る動作が安定せず、従って、キャスト精度が劣り、それが釣果に反映されることにもなる。
【０００３】
ロッドを前後に繰り返し振る動作を正確に行うためには多くの練習が必要であるが、従来においては釣り人が頭の中で適当なリズムを取りながら行っていたため、毎回にリズムが変化したり、日によってリズムが変化したりして、リズムが安定しにくく、試行錯誤を繰り返しながら練習しなければならなかった。この練習においてメトロノームを使用するということも考えられるが、その場合も釣り人は設定するリズムを速くしたり、あるいは、逆に遅くしたりする等、試行錯誤を繰り返すことになり、やはり正確なリズムを習得することは困難であった。
【先行技術文献】
【特許文献】
【０００４】
【特許文献１】特開２００２−２３３２８４号公報
【発明の概要】
【発明が解決しようとする課題】
【０００５】
それゆえに本発明は上記従来の問題点に鑑みてなされ、釣りにおいて所定のリズムを取りながら繰り返し行う繰り返し動作を正確に行うことができるように釣り人を支援することができる釣り用リズム発信器を提供することを課題とする。
【課題を解決するための手段】
【０００６】
本発明は上記課題を解決すべくなされたものであって、本発明に係る釣り用リズム発信器は、釣りにおいて所定のリズムで繰り返し行う繰り返し動作のリズムデータを記憶する記憶部と、該記憶部が記憶するリズムデータに基づいたリズムで報知信号を発信する発信部とを備えていることを特徴とする。
【０００７】
該構成の釣り用リズム発信器にあっては、記憶部が記憶するリズムデータに基づいたリズムに合わせて発信部が報知信号を発信することにより、繰り返し動作を行うタイミングを釣り人に知らせる。従って、釣り人は、発信部が発信する報知信号に合わせるように繰り返し動作を行えばよく、繰り返し動作を所定のリズムで正確に行うことができる。例えば、この釣り用リズム発信器を使用することにより、効率のよい練習を行うことができ、また、釣り場においても練習の時と同じ繰り返し動作を正確に行いながら釣りを行うことができる。
【０００８】
特に、発信部は、音、光、振動のうち少なくとも一つの報知信号を発信することが好ましい。報知信号が音や光、振動であれば、釣り人の繰り返し動作の邪魔になりにくく、従って、釣り人は繰り返し動作に集中することができる。
【０００９】
また、釣り条件が入力される入力部を備え、記憶部は、釣り条件に対して所定のリズムデータが対応付けられたリズムデータテーブルを記憶し、入力された釣り条件に対応したリズムデータを記憶部から読み出してそれを発信部に送る制御部を備えていることが好ましい。釣り条件によって繰り返し動作のリズムが異なることがある。例えば、上述したようなフライフィッシングにおいては、ポイントまでの距離が遠い場合と近い場合でロッドを前後に振るリズムを調整する必要がある。また、使用するロッドの番手によってもリズムを調整する必要がある。このように釣り条件が異なると、それに合わせてリズムを速くしたり逆に遅くしたりして調整する必要があり、調整することによってより一層正確なキャスティングが可能になる。そこで、それぞれの釣り条件に適合したリズムデータを格納したリズムデータテーブルが予め記憶部に記憶されていることが好ましく、それにより記憶部のリズムデータテーブルから釣り条件に適合したリズムデータを読み出すことができる。即ち、釣り人が入力部に釣り条件を入力すると、その入力された釣り条件に対応したリズムデータを制御部がリズムデータテーブルから読み出してそれを発信部に送り、発信部は、入力された釣り条件に適合したリズムで報知信号を発信する。従って、釣り人は、その報知信号を頼りにして繰り返し動作を行えばよく、釣り条件に合ったリズムで繰り返し動作を容易に行うことができる。
【００１０】
また、釣り条件が入力される入力部を備え、記憶部は、基準の釣り条件に対応した基準のリズムデータと、基準の釣り条件とは異なる釣り条件に対して基準のリズムデータを補正するための補正データとを記憶し、入力された釣り条件が基準の釣り条件であるか否かを判別して、入力された釣り条件が基準の釣り条件である場合には、記憶部に記憶している基準のリズムデータを発信部に送り、入力された釣り条件が基準の釣り条件とは異なる釣り条件である場合には、記憶部に記憶している基準のリズムデータを補正データに基づき補正してその補正後のリズムデータを発信部に送る制御部を備えていることが好ましい。該構成の場合も同様に、釣り人が釣り条件を入力することにより、その釣り条件に適合したリズムで報知信号が発信されるので、釣り条件に合ったリズムで繰り返し動作を容易に行うことができる。
【００１１】
また、記憶部は、複数種類のリズムに対応した複数のリズムデータを記憶し、複数種類のリズムから任意のリズムを選択するための入力部と、選択されたリズムに対応したリズムデータを記憶部から読み出してそれを発信部に送る制御部とを備えていることが好ましい。一例を挙げて説明すると、複数種類のリズムとして、例えば標準の速さのリズムと、それよりも速いリズムと、標準のリズムよりも遅いリズムの合計三段階の速さのリズムに対応した三個のリズムデータを記憶部が記憶している場合、その三個のリズムから釣り人が任意のリズムを選択することができる。そして、選択されたリズムに対応して発信部が報知信号を発信するので、釣り人は、標準の速さのリズムに合わせて繰り返し動作を行うことができる他、それよりも速いリズムや遅いリズムに合わせて繰り返し動作を行うこともできる。
【００１２】
また、本発明に係る釣り用リズム発信器は、釣りにおいて第一のリズムで繰り返し行う第一の繰り返し動作の中に、第一のリズムとは異なる第二のリズムで繰り返し行う第二の繰り返し動作が混在している一連の繰り返し動作のリズムデータを記憶する記憶部と、該記憶部が記憶するリズムデータに基づいたリズムで報知信号を発信する発信部とを備え、該発信部は、第一のリズムについては第一の報知信号を発信し、第二のリズムについては第一の報知信号とは異なる第二の報知信号を発信することを特徴とする。
【００１３】
釣りにおける繰り返し動作には、第一のリズムで繰り返し行う第一の繰り返し動作の中に、第一のリズムとは異なる第二のリズムで繰り返し行う第二の繰り返し動作が混在しているという場合がある。上記構成においては、そのような一連の繰り返し動作のリズムデータを記憶部が記憶している。そして、発信部は、第二のリズムについては第一の報知信号とは異なる第二の報知信号を発信するので、釣り人は、一連の繰り返し動作を行うにあたり、第一の報知信号を頼りにしながら第一の繰り返し動作を行うことができると共に、第二の報知信号を頼りにしながら第二の繰り返し動作を行うことができる。即ち、第一の繰り返し動作の中に第二の繰り返し動作が混在している複雑な繰り返し動作であっても、第一の報知信号とは異なる第二の報知信号によって釣り人は容易に第二の繰り返し動作を行うことができる。
【発明の効果】
【００１４】
以上のように、本発明に係る釣り用リズム発信器を使用することにより、釣りにおいて所定のリズムを取りながら繰り返し行う繰り返し動作を正確に行うことができる。
【００１５】
また、発信部が、第一の報知信号とは異なる第二の報知信号を発信する場合には、第一の繰り返し動作と第二の繰り返し動作とが混在している場合であっても、第二の繰り返し動作のタイミングを第二の報知信号から容易に把握することができ、第一の繰り返し動作及び第二の繰り返し動作のそれぞれを容易且つ正確に行うことができる。
【図面の簡単な説明】
【００１６】
【図１】本発明の一実施形態における釣り用リズム発信器を示す正面図。
【図２】同釣り用リズム発信器の制御ブロック図。
【図３】同釣り用リズム発信器の表示画面を示す正面図。
【図４】同釣り用リズム発信器の記憶部に記憶されているリズムデータテーブルの要部を示す図。
【図５】同釣り用リズム発信器の処理内容を示すフローチャート。
【発明を実施するための形態】
【００１７】
以下、本発明の一実施形態に係る釣り用リズム発信器について図面を参酌しつつ説明する。本実施形態の釣り用リズム発信器１の正面図を図１に示しており、該釣り用リズム発信器１は、釣り場にも携帯できる携帯用のものであって、フライフィッシング用として構成されている。具体的には、釣り用リズム発信器１は、フライキャスティングリズムを習得あるいは実践するために釣り人を支援するためのものであって、入力部と出力部とを兼ねた入出力部としてのタッチパネル２と、発信部としてのスピーカ３とを外部に表出して備えると共に、記憶部としてのメモリ４及び制御部としての中央処理装置５を内蔵している。
【００１８】
中央処理装置５には、図２に示すように、タッチパネル２とメモリ４とスピーカ３と通信制御部６が接続されている。該タッチパネル２は、釣り条件を入力する入力部と、入力された釣り条件を表示する表示部として機能し、本実施形態では、釣り条件として、フライをキャストするポイントまでの距離と、使用するロッドの番手とを入力することができ、また、それらを表示することができるようになっている。従って、タッチパネル２の表示画面には、ポイントまでの距離を入力しそれを表示するための距離入力表示部２１と、ロッドの番手を入力しそれを表示するための番手入力表示部２２とが設けられている。
【００１９】
タッチパネル２の表示画面の一例を図３に示している。例えば、距離入力表示部２１及び番手入力表示部２２にはそれぞれドロップダウンリストを表示して予め設定されている値を選択するように構成することができる。距離入力表示部２１においては、例えば１０ｍ、１５ｍ、２０ｍ・・・というように代表的な距離をリストとして列挙することができ、また、その距離の値は例えば５ｍ毎というように一定の間隔毎の値とすることができる。無論、１ｍ単位等で任意の値を入力できるようにしてもよい。また、番手入力表示部２２においては、例えば調子の柔らかいものから順に０番、１番、２番、３番・・・というように列挙して表示することができ、列挙されたものを選択して入力することができる。
【００２０】
メモリ４には、制御プログラムが記憶されていると共に、釣り条件に対して所定のリズムデータが対応付けられたリズムデータテーブル４０が記憶されている。本実施形態においては釣り条件として上述したようにポイントまでの距離とロッドの番手とが入力されるので、ポイントまでの距離とロッドの番手という二つの釣り条件に対応付けられたリズムデータからなるリズムデータテーブル４０が記憶されている。リズムデータテーブル４０の具体例を図４に示している。リズムデータの欄における値は、一分間あたりのロッドの前後の振り回数である。ロッドの前後の振り回数は、ロッドを前側に振ることで一回、後側に振ることでも一回、従って、前後で合計二回となる。一分間あたりのロッドの前後の振り回数は、ポイントまでの距離が長くなる程少なくなり、ロッドの番手が大きくなる程、一分間あたりのロッドの前後の振り回数は多くなる。このようにポイントまでの距離とロッドの番手という二つの釣り条件に対応して、一分間あたりのロッドの前後の振り回数がそれぞれリズムデータとしてリズムデータテーブル４０に格納されている。
【００２１】
スピーカ３は、リズムデータである一分間あたりのロッドの前後の振り回数に基づいたリズムで報知信号としての音を発信する。例えば、リズムデータが毎分４０回であれば、毎分４０回の音を発する。この音は、単発音等、種々のものであってよい。尚、スピーカ３は、スピーカ本体と、中央処理装置５から送られてきたリズムデータに基づいてスピーカ本体を駆動制御する駆動制御部とを備えている。
【００２２】
通信制御部６は、携帯電話等の携帯情報端末８を制御するためものである。該通信制御部６には、通信Ｉ／Ｆ７が接続されており、該通信Ｉ／Ｆ７を介してインターネット接続機能を有する携帯情報端末８が接続できるようになっている。インターネットを介して携帯情報端末８に種々のリズムデータやリズムデータテーブル４０をダウンロードして、携帯情報端末８にダウンロードしたリズムデータやリズムデータテーブル４０をメモリ４に記憶することができる。
【００２３】
次に、制御プログラムに基づいて行われる主な制御処理について図５に示すフローチャートを参酌しつつ説明する。まず、釣り人が距離入力表示部２１にポイントまでの距離を入力し（Ｓ１）、続いて、番手入力表示部２２にロッドの番手を入力する（Ｓ２）。ポイントまでの距離とロッドの番手が入力されると、中央処理装置５は、入力されたポイントまでの距離及びロッドの番手に対応したリズムデータをメモリ４のリズムデータテーブル４０から読み出し、そのリズムデータをスピーカ３に送る（Ｓ４）。スピーカ３は送られてきたリズムデータに基づいて音を出力する（Ｓ５）。例えば、釣り人がポイントまでの距離として１０ｍ、ロッドの番手として０番をそれぞれ入力すると、それに対応したリズムデータは毎分４０回であり、スピーカ３から音が毎分４０回出力されることになる。従って、釣り人は、スピーカ３から毎分４０回というリズムで発信される音を頼りにしてロッドを前後に振ることができる。このようにスピーカ３から出る音に合わせてロッドを前後に振ることができるので、１０ｍ先のポイントにフライを正確にキャストすることができる。尚、図５ではポイントまでの距離を先に入力し、その後にロッドの番手を入力しているが、順序は逆であってもよい。
【００２４】
尚、上述したようなリズムデータテーブル４０に代えて、基準の釣り条件に対応した基準のリズムデータと、基準の釣り条件とは異なる釣り条件に対して基準のリズムデータを補正するための補正データをメモリ４に記憶するようにしてもよい。例えば、基準の釣り条件を「ポイントまでの距離１５ｍ、ロッドの番手５番」とし、その基準の釣り条件に対応した基準のリズムデータとして毎分４０回（一分間に４０回ロッドを前後に振る）というリズムデータをメモリ４に記憶しておく。そして、入力されるポイントまでの距離が例えば１０ｍ、１５ｍ、２０ｍの三種類とした場合、入力されるポイントまでの距離が１０ｍの場合にはプラス１０回と補正し、入力されるポイントまでの距離が２０ｍの場合にはマイナス１０回と補正する。更に、入力されるロッドの番手が４番、３番、２番と一番ずつ小さくなる毎にそれぞれマイナス２回と補正し、逆に入力されるロッドの番手が６番、７番、８番と一番ずつ大きくなる毎にそれぞれプラス２回と補正する。このような補正データ、即ち、ポイントまでの距離については５ｍ短くなる毎にプラス１０回及び５ｍ長くなる毎にマイナス１０回、ロッドの番手については番手に応じてプラス２回ずつ及びマイナス２回ずつという補正データをメモリ４に記憶しておく。
【００２５】
この場合においても上述したのと同様に釣り人がポイントまでの距離とロッドの番手をそれぞれタッチパネル２の距離入力表示部２１と番手入力表示部２２に入力すると、中央処理装置５は、入力された釣り条件が基準の釣り条件「ポイントまでの距離１５ｍ、ロッドの番手５番」であるか否かを判別する。そして、入力された釣り条件が基準の釣り条件である場合には、中央処理装置５は、メモリ４に記憶している基準のリズムデータ「毎分４０回」を読み出してそれをスピーカ３に送る。また、入力された釣り条件が基準の釣り条件とは異なる釣り条件である場合には、メモリ４に記憶している基準のリズムデータ「毎分４０回」を、上述したような補正データに基づき補正してその補正後のリズムデータをスピーカ３に送る。例えば、釣り人がポイントまでの距離として１０ｍ、ロッドの番手として０番をそれぞれ入力すると、基準の釣り条件「ポイントまでの距離１５ｍ、ロッドの番手５番」とは異なっているので、ポイントまでの距離１０ｍに対する補正データとしてプラス１０回、ロッドの番手０番に対する補正データとしてマイナス２回×５＝マイナス１０回、トータルとして補正量はプラスマイナス０回となり、結果として、補正後のリズムデータは基準のリズムデータと同じ回数である毎分４０回となり、このリズムデータがスピーカ３に送られる。スピーカ３から毎分４０回の音が出力されることになるので、釣り人は、スピーカ３から毎分４０回のリズムで発信される音を頼りにしてロッドを前後に振ることができ、１０ｍ先のポイントにフライを正確にキャストすることができる。尚、補正データは、補正データテーブルとして記憶してもよいし、入力される釣り条件をパラメータとする数式として記憶してもよい。
【００２６】
尚、本実施形態では種々ある釣り条件のうち代表的なものとしてポイントまでの距離とロッドの番手とを例示して説明したが、それに加えて、あるいは、それに代えて、他の釣り条件を入力するようにしてもよい。他の釣り条件としては、例えば、ロッドの調子（ロッドアクション）、ロッドの長さ、ロッドの製造メーカ、ロッドの製品名や型番（モデルナンバー）等といったロッドを特定するための各種情報、ダブルテーパやウェイトフォワード、フローティングラインやシンキングラインといったラインの種類、ラインの重さ、リーダの種類や太さ、長さ、ティペットの種類や太さ、長さ、フライの種類等が挙げられる。
【００２７】
また、釣り人がリズムデータを任意に速くしたり遅くしたりする等調整できるようにしてもよく、そのための調整入力部をタッチパネル２に備えるようにしてもよい。
【００２８】
更に、インターネットを介してダウンロードしたリズムデータをメモリ４に記憶しておき、それをタッチパネル２に表示すると共にそれを釣り人が選択できるようにしてもよい。例えば、有名なキャスティングアドバイザーやインストラクター、アングラーのキャスティングリズムをダウンロードしてそれをメモリ４に記憶しておき、それをタッチパネル２から選択すると、そのキャスティングリズムに合わせてスピーカ３から音が出るというようにしてもよく、そのようにすることで有名なキャスティングアドバイザー等のキャスティングリズムを容易に真似ることができる。更に、有名なキャスティングアドバイザー等のキャスティングリズムを釣り人が任意に速くしたり遅くしたりする等調整できるようにしてもよく、そのための調整入力部をタッチパネル２に備えるようにしてもよい。また更には、有名なキャスティングアドバイザー等のキャスティングリズムを基準のリズムデータとしてメモリ４に記憶しておき、上述したように各種の釣り条件によってその基準のリズムデータを補正するための補正データも合わせてダウンロードしてメモリ４に記憶しておいてもよい。例えば、上述したように釣り条件としてポイントまでの距離とロッドの番手とを入力する場合には、有名なキャスティングアドバイザー等のキャスティングリズムにおけるポイントまでの距離とロッドの番手を基準の釣り条件としてそれも合わせてダウンロードしてメモリ４に記憶しておくと共に、釣り人が入力したポイントまでの距離及びロッドの番手が基準の釣り条件とは異なる場合には、基準のリズムデータを補正データに基づき補正すればよい。他の釣り条件である場合も同様である。
【００２９】
次に、ホール動作を伴うフライキャスティングリズムについて説明する。ホールには、ロッドを後側に振るバックキャストとロッドを前側に振るフォワードキャストの何れか一方のみ行うシングルホールと、両方共に行うダブルホールとがあるが、本実施形態ではダブルホールの場合を例示する。ホールを行う場合、ラインを引くホールタイミングとラインを戻すリリースタイミングが重要になる。尚、このホールタイミングとリリースタイミングを合わせてホール動作タイミングと総称することにする。ダブルホールでは、バックキャストにおいてホールタイミングとリリースタイミングがこの順でそれぞれ一回ずつあり、フォワードキャストにおいてもまたホールタイミングとリリースタイミングがこの順でそれぞれ一回ずつある。ホールを行う手は、ロッドを把持している手（ロッドハンド）とは反対側の手（ラインハンド）であり、例えば右手でロッドを把持する場合には左手でホール動作を行うことになる。このようにホールでは、右手と左手がそれぞれ異なるタイミング、リズムで種類の異なる繰り返し動作を行うことになるので、ホール動作を伴う一連の繰り返し動作の習得は特に難しいとされている。即ち、ロッドを前後に振るキャスト動作のリズム（キャストタイミング）を第一のリズムとすれば、ホール動作のリズム（ホール動作タイミング）は第一のリズムとは異なる第二のリズムとなる。
【００３０】
このようにホールキャスティング動作は、キャストタイミングの中にホール動作タイミングが混在した一連の繰り返し動作である。従って、その一連の繰り返し動作のリズムデータをメモリ４に記憶しておき、そのメモリ４に記憶しているリズムデータに基づいてスピーカ３が音を発するようにすることで、ホールキャスティング動作を正確に行うことができる。
【００３１】
そして、キャストタイミング（第一のリズム）に対してスピーカ３が発する音と、ホール動作タイミング（第二のリズム）に対してスピーカ３が発する音とを異なる種類のものとすることが好ましい。異なる種類の音とは、例えば、音色や音高、音程、音圧等が異なるものである。例えばキャストタイミングが毎分４０回というリズムであれば毎分４０回のペースで第一の音をスピーカ３が発して釣り人にキャストタイミングを知らせ、その第一の音が二回出る間に、第一の音とは異なる第二の音をスピーカ３が発してホール動作タイミングを釣り人に知らせるようにする。即ち、第一の音が一回出た後、ホールタイミングを知らせる第二の音が一回発せられ、続いてリリースタイミングを知らせる第二の音が一回発せられ、その後、再び第一の音が一回出るようにする。尚、ホールタイミングとリリースタイミングを互いに同一の種類の音としてもよいし、互いに異なる種類の音としてもよい。ホールタイミングとリリースタイミングのうち一方のみキャストタイミングとは異なる音としてもよい。何れにしても、キャストタイミングを知らせる音とは異なる種類の音がホール動作タイミングを知らせる音としてスピーカ３から発せられることにより、釣り人はキャストタイミングとは別のホール動作タイミングを容易に知ることができ、複雑な動作であるホールキャスティング動作を正確に行うことができる。
【００３２】
尚、ホール動作を伴うフライキャスティングリズムにおいても、上述したように各種の釣り条件をタッチパネル２から入力して、入力した釣り条件に適合するキャストタイミングのリズムデータをメモリ４のリズムデータテーブル４０から読み出したり補正したりしてもよく、更には、ホール動作タイミングについてもキャストタイミングと共に釣り条件に適合するリズムデータをメモリ４のリズムデータテーブル４０から読み出したり補正したりしてもよい。また、釣り人がホール動作タイミングやキャストタイミングを、一括的に、あるいは、それぞれ個別に、任意に速くしたり遅くしたりする等調整できるようにしてもよく、そのための調整入力部を備えるようにしてもよい。更に、ホールの有無を釣り条件の一つとして入力するようにしてもよいし、ダブルホールとシングルホールの何れかを選択できるようにしてもよい。
【００３３】
尚、上記実施形態ではフライフィッシングにおけるキャスト動作を例に説明したが、釣りにおいて所定のリズムを取りながら行う繰り返し動作は他にも種々あって、例えば、エギングやジギングにおけるシャクリ動作や、リフト＆フォールのタイミング等、種々のロッド操作にも適合可能であり、ロッドの繰り返し動作のリズムのみならず、リールのハンドルを巻く操作のリズムにも適合可能である。例えば、エギングにおいては、釣り条件として、使用するエギの種類や号数、ラインの種類や太さ、ロッドの調子や長さ、水深や潮流の速さ等、種々のファクターを釣り条件とすることができる。ジギングにおいても同様であってジグの形状や重さ等を釣り条件とすることができ、また、ジャカジャカ巻き、ショートジャーク、ロングジャーク、ワンピッチジャーク等の代表的なシャクリ動作を釣り条件の一つとしてそれらの中から釣り人が任意に選択し入力できるようにしてもよい。また、それらのシャクリ動作をターゲットや釣り場に応じて適宜組み合わせたもの、それは一種類であっても複数種類であってもよいが、何れにしても組み合わせたものを選択できるようにしてもよい。そして、そのようなシャクリ動作を選択した後において、更に他の釣り条件を入力して、選択したシャクリ動作のリズムデータを他の釣り条件に適合するように補正等してもよい。また、使用するリールとルアーを釣り条件として入力して、記憶するリズムテーブル４から釣り条件に適合したハンドルの巻き操作に対するリズムデータを読み出したり、基準のリズムデータを補正したりするようにしてもよい。
【００３４】
尚、釣り条件を入力する構成ではなく、例えば、予め速さの異なる複数のリズムデータをメモリ４に記憶しておき、その複数のリズムデータから釣り人が任意に選択する構成としてもよい。例えば、標準のリズム、速めのリズム、遅めのリズムという三段階のリズムデータを記憶し、釣り人がそれらの中から任意選択するようにしてもよい。無論、調整入力部を備えて、選択したリズムデータを調整できるようにしてもよい。また、速さが異なる複数のリズムではなく、パターンが異なる複数のリズムから選択するようにしてもよく、リズムの種類は種々であってよい。
【００３５】
また、複数種類のリズムに対応した複数のリズムデータを記憶しておくのではなく、一つのリズムデータのみを記憶しておいてもよい。その場合も調整入力部を備えて、選択したリズムデータを調整できるようにしてもよい。
【００３６】
尚、上記実施形態では発信部としてスピーカ３を備えていたが、スピーカ３に代えて、あるいはそれと共に発信部としてイヤホンやヘッドホンを接続可能に構成してもよく、それらから釣り人が音を聞くことができるようにしてもよい。
【００３７】
また、報知信号として音を発する構成とする以外に、報知信号として振動や光を発する発信部の構成としてもよく、音を発しながら光も発するというように、音、振動、光を種々組み合わせてもよい。例えば、上述したようなホール動作を伴う場合において、キャストタイミングとホール動作タイミングを互いに異なる音としたが、一方の報知信号を音として他方の報知信号を振動や光としてもよい。キャストタイミングの報知信号とホール動作タイミングの報知信号を共に光としてその色が互いに異なるようにしてもよいし、報知信号を振動とする場合も同様である。また、音や振動、光以外に例えば所定の部材の揺動動作等の動きを報知信号として釣り人に所定のリズム、タイミングを知らせるようにしてもよい。このように発信部の構成も種々の構成であってよい。
【００３８】
尚、上記実施形態では中央処理装置５に通信制御部６が接続され、通信Ｉ／Ｆ７を介して携帯情報端末８が接続可能な構成としたが、釣り用リズム発信器１がインターネット接続機能を有する通信端末を備えるようにしてもよい。即ち、釣り用リズム発信器１が、スマートフォンやタブレット端末等の携帯情報端末であってもよい。また、釣り用リズム発信器１を釣竿やリール等に取り付ける構成としてもよい。また、釣り用リズム発信器１を備えた釣竿やリール、魚群探知機等の各種の釣り具としてもよい。
【００３９】
また、上記実施形態ではタッチパネル２を備えていたが、入力部と表示部とを別々に備えるようにしてもよい。表示部は省略されてもよく、入力部が各種のボタンやキー、ダイヤル等であってもよい。
【符号の説明】
【００４０】
１    釣り用リズム発信器
２    タッチパネル
３    スピーカ
４    メモリ
５    中央処理装置
６    通信制御部
７    通信Ｉ／Ｆ
８    携帯情報端末
２１    距離入力表示部
２２    番手入力表示部
４０    リズムデータテーブル
【図１】
2015073489.tif 000003
【図２】
2015073489.tif 000004
【図３】
2015073489.tif 000005
【図４】
2015073489.tif 000006
【図５】
2015073489.tif 000007